(57)【要約】【課題】圧縮機や凝縮器等の発熱部を空冷した後の温風が他のショーケース内に流れ込むことを防止するとともに、排気される温風の風量や風切音の大きさを調整することができる冷凍機内蔵型ショーケースを提供する。【解決手段】冷凍機内蔵型ショーケース１は、商品陳列棚７を有するショーケース本体２と、ショーケース本体２の下側に設けられ、冷凍機ユニットを構成する発熱部１２、１３が収容される基台３と、基台３に設けられ、発熱部１２、１３を冷却した温風が排気される排気口１７と、排気口１７に取付けられ、排気口１７から排気される温風の向きを左方又は右方とする複数の羽根板２３を有する複数の風向板２２ａと、を有し、風向板２２ａは、排気される温風の向きが左方又は右方となるように排気口１７への取付向きが変更可能である。【選択図】図１
2013050235.tif 000002
【特許請求の範囲】
【請求項１】
商品陳列棚を有するショーケース本体と、
前記ショーケース本体の下側に設けられ、冷凍機ユニットを構成する発熱部が収容される基台と、
前記基台に設けられ、前記発熱部を冷却した温風が排気される排気口と、
前記排気口に取付けられ、この排気口から排気される温風の向きを左方又は右方とする複数の羽根板を有する複数の風向板と、
を有し、
前記風向板は、排気される温風の向きが左方又は右方となるように前記排気口への取付向きが変更可能であることを特徴とする冷凍機内蔵型ショーケース。
【請求項２】
前記排気口に、外方側が斜め下方向きとなってこの排気口から排気される温風の向きを斜め下方とする複数の羽根板を有する排気口カバーが取付けられ、
前記風向板は前記排気口カバーの内側に取付けられていることを特徴とする請求項１記載の冷凍機内蔵型ショーケース。
【請求項３】
前記風向板は、前記排気口カバーの前記羽根板との距離を調整可能に前記排気口カバーの内側に取付けられていることを特徴とする請求項２記載の冷凍機内蔵型ショーケース。
【請求項４】
前記風向板に、前記風向板を前記排気口に取付けた場合に前記風向板を通過して排気される温風の向きを示す目印が設けられていることを特徴とする請求項１ないし３のいずれか一項に記載の冷凍機内蔵型ショーケース。
【発明の詳細な説明】
【技術分野】
【０００１】
本発明は、冷凍機内蔵型ショーケースに関する。
【背景技術】
【０００２】
従来、スーパーマーケットやコンビニエンスストア等では、店内における設置位置を変更可能な冷凍機内蔵型ショーケースを使用する場合がある。冷凍機内蔵型ショーケースは、圧縮機、凝縮器、蒸発器等から構成される冷凍機ユニットを備えており、冷凍機ユニットを構成する部材のうち圧縮機や凝縮器等の発熱部は、冷凍機内蔵型ショーケースの下側に設けられた基台内に収容されている。
【０００３】
基台内に収容されている圧縮機や凝縮器に対しては空冷が行われており、この空冷は、送風ファンを用いて基台外の空気を基台内に吸気し、吸気した空気を圧縮機や凝縮器に当てることにより行われている。基台内に吸気されて圧縮機や凝縮器を冷却した空気は温度が上昇して温風となり、この温風は基台に設けられている排気口から基台外に排気される。
【０００４】
基台外に排気された温風が冷凍機内蔵型ショーケースに対向して配置されている他のショーケース内に流れ込むと、そのショーケースのエアーカーテンを乱し、さらには陳列されている商品を暖めてその商品の品質を損なうという問題が発生する。
【０００５】
そこで、下記特許文献１に記載されたように、冷凍機内蔵型ショーケースから排気される温風を、冷凍機内蔵型ショーケースの前面側に位置する通路に沿って流し、他のショーケース内に流れ込むことを防止した冷凍機内蔵型ショーケースが提案されている。
【０００６】
特許文献１に記載された冷凍機内蔵型ショーケースには、基台における温風が排気される側に、排気される温風の向きを通路に沿って左右いずれかの方向に偏向させる風向ベーン付き風向板が設けられている。
【先行技術文献】
【特許文献】
【０００７】
【特許文献１】特開平９−４２８２１号公報
【発明の概要】
【発明が解決しようとする課題】
【０００８】
しかしながら、特許文献１に記載された冷凍機内蔵型ショーケースでは、風向板を通過して排気される温風の向きが左方又は右方のどちらか一方であり、排気される温風の風量や排気時に発生する風切音の大きさを調整することができない。
【０００９】
本発明は、このような課題を解決するためになされたものであり、その目的は、圧縮機や凝縮器等の発熱部を空冷した後の温風が他のショーケース内に流れ込むことを防止するとともに、排気される温風の風量や風切音の大きさを調整することができる冷凍機内蔵型ショーケースを提供することである。
【課題を解決するための手段】
【００１０】
本発明に係る冷凍機内蔵型ショーケースは、商品陳列棚を有するショーケース本体と、ショーケース本体の下側に設けられ、冷凍機ユニットを構成する発熱部が収容される基台と、基台に設けられ、発熱部を冷却した温風が排気される排気口と、排気口に取付けられ、排気口から排気される温風の向きを左方又は右方とする複数の羽根板を有する複数の風向板を有し、風向板は、排気される温風の向きが左方又は右方となるように排気口への取付向きが変更可能である。
【００１１】
また、前述の本発明に係る冷凍機内蔵型ショーケースにおいて、排気口に、外方側が斜め下方向きとなってこの排気口から排気される温風の向きを斜め下方とする複数の羽根板を有する排気口カバーが取付けられ、風向板は排気口カバーの内側に取付けられていることが望ましい。
【００１２】
また、前述の本発明に係る冷凍機内蔵型ショーケースにおいて、風向板は、排気口カバーの羽根板との距離を調整可能に排気口カバーの内側に取付けられていることが望ましい。
【００１３】
また、前述の本発明に係る冷凍機内蔵型ショーケースにおいて、風向板に、風向板を排気口に取付けた場合に風向板を通過して排気される温風の向きを示す目印が設けられていることが望ましい。
【発明の効果】
【００１４】
本発明に係る冷凍機内蔵型ショーケースによれば、開口部への風向板の取付け向きを変更することにより、風向板を通過して排気される温風の向きを、左方、又は右方、又は左方と右方との両方に分散するように切替えることができ、この切替えにより左方又は右方に排気される温風の風量を調整することができる。例えば、排気される温風を左方と右方との両方に分散させることにより、左方と右方とに排気される温風の風量をそれぞれ少なくすることができる。
【００１５】
また、排気口に、外方側が斜め下方向きとなって排気口から排気される温風の向きを斜め下方とする複数の羽根板を有する排気口カバーが取付けられ、風向板が排気口カバーの内側に取付けられている場合には、排気口カバーによって風向板を目隠しすることができ、目隠しされる風向板に対しては美観を高めるための塗装等の表面仕上げ加工が不要となり、コストダウンを図ることができる。
【００１６】
また、風向板と排気口カバーの羽根板との距離を調整することにより、排気口から排気される温風の風切音を小さくすることができる。
【００１７】
また、風向板に、風向板を排気口に取付けた場合に風向板を通過して排気される温風の向きを示す目印が設けられている場合には、この目印を参照して風向板を排気口に取付けることにより、排気される温風の向きを間違えることなく風向板の取付けを行うことができる。
【図面の簡単な説明】
【００１８】
【図１】本発明の一実施形態の冷凍機内蔵型ショーケースを示す断面側面図である。
【図２】排気口カバーへの風向板の取付状態を拡大して示す断面側面図である。
【図３】排気口カバーへの風向板の取付状態を示す断面平面図である。
【図４】排気口カバーへの風向板の取付状態を基台の内側から見た正面図である。
【図５】排気口から排気される温風の向きが一方向となるように風向板の取付向きを変更した場合を示す断面平面図である。
【図６】排気口から排気される温風の向きが反対向きの一方向となるように風向板の取付向きを変更した場合を示す断面平面図である。
【発明を実施するための形態】
【００１９】
本発明の一実施形態を図面に基づいて説明する。図１に示すように、冷凍機内蔵型ショーケース１は、ショーケース本体２と、ショーケース本体２の下側に設けられた基台３とを備えている。
【００２０】
ショーケース本体２は、前後両面が開放されたオープンタイプであり、底部４と、底部４上に上下方向に立設された中央壁部５と、中央壁部５の上端部に固定された天井部６と、中央壁部５に取付けられて上下方向に配列された複数段の商品陳列棚７とを備えている。底部４上には、蒸発器８と、蒸発器８に向けて送風する送風ファン９とが設けられている。中央壁部５内にはダクト１０が形成され、送風ファン９により送風されて蒸発器８に触れることにより冷却された空気（冷風）がダクト１０内を上向きに送風される。ダクト１０内を送風された冷風は天井部６に形成された冷風吹出口１１から下向きに吹出し、商品陳列棚７に陳列されている商品を冷却する。
【００２１】
基台３内には、作動時に発熱する発熱部である圧縮機１２、作動時に発熱する発熱部である凝縮器１３、圧縮機１２や凝縮器１３に向けて送風する送風ファン１４、ドレン蒸発器１５が収容されている。圧縮機１２と凝縮器１３と蒸発器８とは、冷媒が流れる冷媒パイプ（図示せず）で接続され、冷凍機ユニットを構成している。ドレン蒸発器１５は受皿１５ａと蒸発シート１５ｂとを有し、蒸発器８に付着した霜がヒーター（図示せず）の熱で融解することにより発生した水滴が受皿１５ａに貯められ、受皿１５ａに溜まった水は蒸発シート１５ｂに吸い上げられて蒸発する。
【００２２】
さらに、基台３の一端側には吸気口１６が形成され、基台３の他端側には排気口１７が形成されている。送風ファン１４が駆動されることにより基台３の外部の空気が吸気口１６から基台３内に吸気され、基台３内に吸気された空気は凝縮器１３や圧縮機１２を冷却して温風になり、排気口１７から基台３の外部に排気される。
【００２３】
吸気口１６には、吸気口カバー１８が取付けられ、排気口１７には排気口カバー１９が取付けられている。吸気口カバー１８には、外方側が斜め下方となる向きに傾斜して上下方向に配列された複数の羽根板２０が設けられている。排気口カバー１９には、外方側が斜め下方となる向きに傾斜して上下方向に配列された複数の羽根板２１が設けられている。吸気口カバー１８に羽根板２０が設けられ、排気口カバー１９に羽根板２１が設けられていることにより、これらの羽根板２０、２１によって基台３の内部が目隠しされ、吸気口１６や排気口１７から基台３の内部が見えなくなっている。また、排気口カバー１９に羽根板２１が設けられていることにより、排気口カバー１９を通過して排気口１７から排気される温風の向きが斜め下方向きとなっている。
【００２４】
排気口１７には、２つの風向板２２ａ、２２ｂが水平方向に配列して設けられており、これらの風向板２２ａ、２２ｂは排気口カバー１９の内側に固定されている。２つの風向板２２ａ、２２ｂの構造は同じであり、図１では一方の風向板２２ａのみが示され、他方の風向板２２ｂは図３以降に示されている。
【００２５】
風向板２２ａには、排気口１７から排気される温風の向きを、冷凍機内蔵型ショーケース１の前面側に設けられている通路Ｐに沿って左方又は右方とするための複数の羽根板２３が左右方向に沿って上下二段に配列されている。また、風向板２２ａは後述するように、排気口カバー１９への取付向きを変更可能であり、排気口カバー１９への風向板２２ａの取付向きを変更することにより、排気口１７から排気される温風の向きを左方又は右方に変更することができる。
【００２６】
図２は、排気口カバー１９への風向板２２ａの取付状態を側方から見た断面図である。風向板２２ａは、複数の固定ネジ２４、２５により排気口カバー１９の内側に固定されている。風向板２２ａの上端側と下端側とには、固定ネジ２４が螺合される取付孔２６と、固定ネジ２５が挿通される長孔２７とが形成されている。長孔２７に挿通された固定ネジ２５の先端部は板ナット（図示せず）が螺合される。長孔２７は、風向板２２ａを排気口カバー１９に取付けた場合に排気口カバー１９の羽根板２１の方向に向けて長くなる向きに形成されている。この長孔２７を用いて排気口カバー１９に風向板２２ａを取付けることにより、風向板２２ａと排気口カバー１９の羽根板２１との距離“Ｄ”を調整することができる。
【００２７】
なお、風向板２２ａには複数の羽根板２３が左右方向に沿って上下二段に配列され、排気口カバー１９には複数の羽根板２１が上下方向に沿って配列されている。
【００２８】
図３は、排気口カバー１９への風向板２２ａ、２２ｂの取付状態を上方から見た断面図である。一方の風向板２２ａは、風向板２２ａと排気口カバー１９とを通過して排気される温風の向きが矢印Ａで示す左方となる向きに取付けられ、他方の風向板２２ｂは、風向板２２ｂと排気口カバー１９とを通過して排気される温風の向きが矢印Ｂで示す右方となる向きに取付けられている。排気される温風の向きを左方（矢印Ａ方向）とするか右方（矢印Ｂ方向）とするかは、風向板２２ａ、２２ｂを排気口カバー１９に取付ける場合の取付向きにより決定することができる。
【００２９】
図４は、排気口カバー１９への風向板２２ａ、２２ｂの取付状態を基台３の内側から見た正面図である。風向板２２ａ、２２ｂの長手方向の一端側には、風向板２２ａ、２２ｂを排気口カバー１９に取付けた場合に風向板２２ａ、２２ｂを通過して排気される温風の向きを示す目印である目印穴２８が形成されている。一方の風向板２２ａに形成された目印穴２８はこの風向板２２ａを通過して排気される温風の向きである左側に位置し、他方の風向板２２ｂに形成された目印穴２８はこの風向板２２ｂを通過して排気される温風の向きである右側に位置している。
【００３０】
図５は、図３に示すように排気口カバー１９に取付けられている一方の風向板２２ｂを排気口カバー１９から一旦取外し、垂直面内で１８０°回転させて排気口カバー１９への取付向きを変更し、再び排気口カバー１９に取付けた状態を上方から見た断面図である。風向板２２ａ、２２ｂと排気口カバー１９とを通過して排気される温風の向きが、共に左方（矢印Ａ方向）となっている。
【００３１】
図６は、図３に示すように排気口カバー１９に取付けられている一方の風向板２２ａを排気口カバー１９から一旦取外し、垂直面内で１８０°回転させて排気口カバー１９への取付向きを変更し、再び排気口カバー１９に取付けた状態を上方から見た断面図である。風向板２２ａ、２２ｂと排気口カバー１９とを通過して排気される温風の向きが、共に右方（矢印Ｂ方向）となっている。
【００３２】
このような構成において、冷凍機ユニットの運転時には送風ファン９、１４が駆動される。送風ファン９が駆動されることにより、送風ファン９により送風された空気が蒸発器８に当たって冷却され、冷風となる。この冷風は、ダクト１０内を上向きに送風され、天井部６の冷風吹出口１１から下向きに吹出し、冷風吹出口１１から吹出した冷風によって商品陳列棚７に陳列されている商品が冷却される。一方、送風ファン１４が駆動されることにより基台３の外部の空気が吸気口１６から基台３内に吸気され、基台３内に吸気された空気は凝縮器１３や圧縮機１２に当たってこれらの凝縮器１３や圧縮機１２を冷却することにより温風となり、排気口１７から基台３の外部に排気される。
【００３３】
排気口１７には、風向板２２ａ、２２ｂと排気口カバー１９とが取付けられている。風向板２２ａ、２２ｂには、風向板２２ａ、２２ｂを通過して排気口１７から排気される温風の向きを、冷凍機内蔵型ショーケース１の前面側に設けられている通路Ｐに沿った左方（矢印Ａ方向）又は右方（矢印Ｂ方向）とする羽根板２３が設けられている。したがって、風向板２２ａ、２２ｂを通過して排気口１７から排気される温風の向きは、図３、図５又は図６に示すように、左方（矢印Ａ方向）又は右方（矢印Ｂ方向）となる。
【００３４】
風向板２２ａ、２２ｂが設けられていることにより、風向板２２ａ、２２ｂを通過して排気口１７から排気された温風の向きが通路Ｐに沿って左方又は右方となり、排気口１７から排気された温風が冷凍機内蔵型ショーケース１に対向して配置されている他のショーケース内に流れ込むことが防止される。このため、他のショーケースにおいては、排気口１７から排気される温風によってエアーカーテンが乱されることや、陳列されている商品が温風により暖められて商品の品質が損なわれるという問題の発生を防止することができる。
【００３５】
風向板２２ａ、２２ｂを通過して排気される温風の向きを左方とするか右方とするかは、排気口カバー１９への風向板２２ａ、２２ｂの取付向きを変更することにより容易に変更することができる。風向板２２ａ、２２ｂの取付向きの変更は、固定ネジ２４、２５を外して排気口カバー１９に取付けられている風向板２２ａ、２２ｂを一旦排気口カバー１９から取外し、取外した風向板２２ａ、２２ｂを垂直面内で１８０°回転させ、固定ネジ２４、２５を用いて再び排気口カバー１９に取付けることにより行える。
【００３６】
風向板２２ａ、２２ｂの長手方向の一端側には、風向板２２ａ、２２ｂを通過して排気される温風の向きを示す目印穴２８が形成されている。このため、排気口カバー１９への風向板２２ａ、２２ｂの取付けを、目印穴２８を基準として行うことにより、排気される温風の向きの調整を確実に行うことができる。
【００３７】
図３に示すように、排気口１７から排気される温風の一部を左方（矢印Ａ方向）とし、排気口１７から排気される温風の他の一部を右方（矢印Ｂ方向）として分散させることにより、左方と右方とに排気される温風の風量をそれぞれ少なくすることができ、一方向にのみ多量の温風を排気するということを防止することができる。
【００３８】
図２に示した風向板２２ａ、２２ｂと排気口カバー１９の羽根板２１との間の距離“Ｄ”については、この距離“Ｄ”が小さいほうが、風向板２２ａ、２２ｂを通過した後に羽根板２１を通過した温風の向きを左方又は右方とする性能が高くなる。しかし、この距離“Ｄ”が小さいと、温風が排気される場合の風切音が大きくなる傾向がある。そこで、図２に示すように、長孔２７を用いて風向板２２ａ、２２ｂと排気口カバー１９の羽根板２１との距離“Ｄ”を調整可能とし、この距離“Ｄ”を大きくすることにより排気される温風の風切音を小さくすることができる。
【００３９】
排気口１７には、風向板２２ａ、２２ｂの外側に位置して排気口カバー１９が設けられ、この排気口カバー１９には複数の羽根板２１が設けられ、羽根板２１は外方側が斜め下方となる向きに傾斜している。このため、排気口カバー１９によって風向板２２ａ、２２ｂを目隠しすることができ、目隠しされる風向板２２ａ、２２ｂに対しては美観を高めるための塗装等の表面仕上げ加工が不要となり、コストダウンを図ることができる。
【００４０】
なお、本実施形態では、２つの風向板２２ａ、２２ｂを左右方向に配列して排気口１７に取付けた場合を例に挙げて説明したが、排気口１７に取付ける風向板の数は２つに限定されることはなく、３つ以上の風向板を取付けてもよい。
【００４１】
以上、本発明の一実施形態を説明したが、この実施形態は例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。この実施形態やその変形は、発明の範囲や要旨に含まれるとともに、特許請求の範囲に記載された発明とその均等の範囲に含まれる。
【符号の説明】
【００４２】
１      冷凍機内蔵型ショーケース
２      ショーケース本体
３      基台
４      底部
５      中央壁部
６      天井部
７      商品陳列棚
８      蒸発器
９      送風ファン
１０      ダクト
１１      冷風吹出口
１２      圧縮機（発熱部）
１３      凝縮器（発熱部）
１４      送風ファン
１５      ドレン蒸発部
１５ａ    受皿
１５ｂ    蒸発シート
１６      吸気口
１７      排気口
１８      吸気口カバー
１９      排気口カバー
２０      羽根板
２１      羽根板
２２ａ    風向板
２２ｂ    風向板
２３      羽根板
２４      固定ネジ
２５      固定ネジ
２６      取付穴
２７      取付穴
２８      目印穴（目印）
【図１】
2013050235.tif 000003
【図２】
2013050235.tif 000004
【図３】
2013050235.tif 000005
【図４】
2013050235.tif 000006
【図５】
2013050235.tif 000007
【図６】
2013050235.tif 000008